(57)【要約】【課題】過去の走行履歴に応じてユーザの嗜好に合った施設情報を提供することができる情報提供装置、情報提供方法、情報提供プログラムおよび情報提供プログラムを格納した記録媒体を提供する。【解決手段】サーバ部２０の提示情報検索部２２で、走行履歴・探索度蓄積部２４に蓄積された走行履歴から現在地に対する探索度と、施設情報蓄積部２３に蓄積された施設に関する情報の更新日時に基づいて当該施設に関する情報の鮮度を算出し、そして、現在地から予め設定された表示範囲内の設定されたジャンルに合致する施設に関する情報を、探索度が高い場合は鮮度に基づいて検索し、探索度が低い場合は距離に基づいて検索して、端末部１０の表示部１６に検索された施設に関する情報を表示する。【選択図】図１
2012177575.tif 000002
【特許請求の範囲】
【請求項１】
移動体の現在地から所定の範囲内の周辺情報を、利用者に提供する情報提供装置であって、
前記移動体の現在地に関する位置情報を取得する現在地取得手段と、
前記所定の範囲を設定する範囲設定手段と、
前記移動体の走行履歴に基づいて、前記現在地取得手段で取得した前記現在地に対する探索度を算出する探索度算出手段と、
前記周辺情報が更新された更新日時に基づいて、当該周辺情報の鮮度を算出する鮮度算出手段と、
前記現在地取得手段で取得した前記現在地から前記範囲設定手段で設定された前記所定の範囲内の前記周辺情報を、前記探索度算出手段で算出された前記探索度と鮮度算出手段で算出された前記鮮度に基づいて検索する検索手段と、
前記検索手段で検索された前記周辺情報を前記利用者に提供する情報提供手段と、
を備えていることを特徴とする情報提供装置。
【請求項２】
前記走行履歴を蓄積する走行履歴蓄積手段と、
前記周辺情報を蓄積する周辺情報蓄積手段と、
前記利用者の嗜好を設定する嗜好設定手段と、を更に備え、
前記探索度算出手段は、前記走行履歴蓄積手段に蓄積された前記走行履歴を参照することにより、前記探索度を算出し、
前記検索手段は、前記嗜好設定手段に設定された前記嗜好を更に考慮して、前記周辺情報蓄積手段に蓄積された前記周辺情報内を検索する、
ことを特徴とする請求項１に記載の情報提供装置。
【請求項３】
前記情報提供手段は、前記周辺情報を表示する表示手段を備え、
前記移動体は自転車であり、前記範囲設定手段は、前記利用者が所定時間内に前記自転車により移動が可能な範囲を前記所定の範囲として設定し、
前記検索手段は、前記探索度及び前記鮮度に基づいて、優先度を決定し、
前記表示手段は、前記優先度が最も高い周辺情報を表示する、
ことを特徴とする請求項１または２に記載の情報提供装置。
【請求項４】
前記検索手段は、前記現在地と前記周辺情報が示す地点との距離を算出して、前記探索度が低い場合は、前記現在地からの距離が近くなるにしたがって前記優先度が高くなるように決定することを特徴とする請求項３に記載の情報提供装置。
【請求項５】
前記検索手段は、前記探索度が高い場合は、前記鮮度が新しくなるにしたがって前記優先度が高くなるように決定することを特徴とする請求項３または４に記載の情報提供装置。
【請求項６】
前記探索度算出手段は、予め定めたエリア単位で前記探索度を算出することを特徴とする請求項１乃至５のうちいずれか一項に記載の情報提供装置。
【請求項７】
前記検索手段は、前記探索度が所定値以上の場合であって、前記周辺情報の更新日時が直前に前記現在地を訪問した日時よりも過去である場合は、当該周辺情報を検索対象から除外することを特徴とする請求項１乃至６のうちいずれか一項に記載の情報提供装置。
【請求項８】
地図情報が格納されている地図情報格納手段と、
前記地図情報格納手段に格納されている前記地図情報に基づいて前記情報提供手段から提供された前記周辺情報が示す地点へ案内する案内手段と、
をさらに備えていることを特徴とする請求項１乃至７のうちいずれか一項に記載の情報提供装置。
【請求項９】
移動体の現在地から所定の範囲内の周辺情報を、利用者に提供する情報提供方法であって、
前記移動体の現在地に関する位置情報を取得する現在地取得ステップと、
前記所定の範囲を設定する範囲設定ステップと、
前記移動体の走行履歴に基づいて、前記現在地取得ステップで取得した前記現在地に対する探索度を算出する探索度算出ステップと、
前記周辺情報が更新された更新日時に基づいて、当該周辺情報の鮮度を算出する鮮度算出ステップと、
前記現在地取得ステップで取得した前記現在地から前記範囲設定ステップで設定された前記所定の範囲内の前記周辺情報を、前記探索度算出ステップで算出された前記探索度と鮮度算出ステップで算出された前記鮮度に基づいて検索する検索ステップと、
前記検索ステップで検索された前記周辺情報を前記利用者に提供する情報提供ステップと、
を備えていることを特徴とする情報提供方法。
【請求項１０】
移動体の現在地から所定の範囲内の周辺情報を、利用者に提供する情報提供プログラムであって、
前記移動体の現在地に関する位置情報を取得する現在地取得手段と、
前記所定の範囲を設定する範囲設定手段と、
前記移動体の走行履歴に基づいて、前記現在地取得手段で取得した前記現在地に対する探索度を算出する探索度算出手段と、
前記周辺情報が更新された更新日時に基づいて、当該周辺情報の鮮度を算出する鮮度算出手段と、
前記現在地取得手段で取得した前記現在地から前記範囲設定手段で設定された前記所定の範囲内の前記周辺情報を、前記探索度算出手段で算出された前記探索度と鮮度算出手段で算出された前記鮮度に基づいて検索する検索手段と、
前記検索手段で検索された前記周辺情報を前記利用者に提供する情報提供手段と、
としてコンピュータを機能させることを特徴とする情報提供プログラム。
【請求項１１】
請求項１０に記載の情報提供プログラムを格納したことを特徴とするコンピュータ読み取り可能な記録媒体。
【発明の詳細な説明】
【技術分野】
【０００１】
本発明は、自動車や自転車などの移動体が移動中に現在地の周辺情報を提供する情報提供装置、情報提供方法、情報提供プログラムおよび情報提供プログラムを格納した記録媒体に関する。
【背景技術】
【０００２】
従来、車載用ナビゲーション機器などにおいて、ユーザ（利用者）の嗜好に応じて、施設などの周辺情報を自動で提示する技術は知られている。
【０００３】
例えば、特許文献１には、車両が過去に走行したことの無い地点にあるか否かを判定する判定部２ｂを備え、判定部２ｂにおいて車両は過去に走行したことの無い地点にあると判定された場合に、表示制御部４は、情報取込部２ｃで取り込んだ施設案内情報を表示すべく、モニタ１をマルチ表示制御することが記載されている。
【先行技術文献】
【特許文献】
【０００４】
【特許文献１】特開２００７−１３９４４３号公報
【発明の概要】
【発明が解決しようとする課題】
【０００５】
しかしながら、特許文献１に記載された装置では、過去に走行したことがあるかないかのみで施設案内情報を表示するか否かを決定しているが、過去に走行したことがあってもその走行回数が少ない場合は情報を表示してほしいと感じることが多い。また、施設の情報が更新された場合は、過去に走行したことがあっても更新情報を表示したほうがユーザにとって有益になる。
【０００６】
そこで、本発明は、例えば、過去の走行履歴に応じてユーザの嗜好に合った施設情報を提供することができる情報提供装置、情報提供方法、情報提供プログラムおよび情報提供プログラムを格納した記録媒体を提供することを課題とする。
【課題を解決するための手段】
【０００７】
上記課題を解決するために、請求項１に記載の情報提供装置は、移動体の現在地から所定の範囲内の周辺情報を、利用者に提供する情報提供装置であって、前記移動体の現在地に関する位置情報を取得する現在地取得手段と、前記所定の範囲を設定する範囲設定手段と、前記移動体の走行履歴に基づいて、前記現在地取得手段で取得した前記現在地に対する探索度を算出する探索度算出手段と、前記周辺情報が更新された更新日時に基づいて、当該周辺情報の鮮度を算出する鮮度算出手段と、前記現在地取得手段で取得した前記現在地から前記範囲設定手段で設定された前記所定の範囲内の前記周辺情報を、前記探索度算出手段で算出された前記探索度と鮮度算出手段で算出された前記鮮度に基づいて検索する検索手段と、前記検索手段で検索された前記周辺情報を前記利用者に提供する情報提供手段と、を備えていることを特徴としている。
【０００８】
請求項９に記載の情報提供方法は、移動体の現在地から所定の範囲内の周辺情報を、利用者に提供する情報提供方法であって、前記移動体の現在地に関する位置情報を取得する現在地取得ステップと、前記所定の範囲を設定する範囲設定ステップと、前記移動体の走行履歴に基づいて、前記現在地取得ステップで取得した前記現在地に対する探索度を算出する探索度算出ステップと、前記周辺情報が更新された更新日時に基づいて、当該周辺情報の鮮度を算出する鮮度算出ステップと、前記現在地取得ステップで取得した前記現在地から前記範囲設定ステップで設定された前記範囲内の前記周辺情報を、前記探索度算出ステップで算出された前記探索度と鮮度算出ステップで算出された前記鮮度に基づいて検索する検索ステップと、前記検索ステップで検索された前記周辺情報を前記利用者に提供する情報提供ステップと、を備えていることを特徴としている。
【０００９】
請求項１０に記載の情報提供プログラムは、移動体の現在地から所定の範囲内の周辺情報を、利用者に提供する情報提供プログラムであって、前記移動体の現在地に関する位置情報を取得する現在地取得手段と、前記所定の範囲を設定する範囲設定手段と、前記移動体の走行履歴に基づいて、前記現在地取得手段で取得した前記現在地に対する探索度を算出する探索度算出手段と、前記周辺情報が更新された更新日時に基づいて、当該周辺情報の鮮度を算出する鮮度算出手段と、前記現在地取得手段で取得した前記現在地から前記範囲設定手段で設定された前記所定の範囲内の前記周辺情報を、前記探索度算出手段で算出された前記探索度と鮮度算出手段で算出された前記鮮度に基づいて検索する検索手段と、前記検索手段で検索された前記周辺情報を前記利用者に提供する情報提供手段と、してコンピュータを機能させることを特徴としている。
【図面の簡単な説明】
【００１０】
【図１】本発明の第１の実施例にかかる情報提供装置のブロック図である。
【図２】図１に示された情報提供装置の端末部の動作を示したフローチャートである。
【図３】図１に示された情報提供装置のサーバ部の動作を示したフローチャートである。
【図４】探索度が変化した際の鮮度と距離の関係を示した説明図である。
【図５】設定したジャンルの施設に関する情報を表示する範囲と、表示候補の施設の位置関係と情報の更新日を示した説明図である。
【図６】図５に示した説明図において探索度が最も低い場合の表示を示した図である。
【図７】図５に示した説明図において探索度が最も高い場合の表示を示した図である。
【図８】本発明の第２の実施例にかかる情報提供装置のブロック図である。
【発明を実施するための形態】
【００１１】
以下、本発明の一実施形態にかかる情報提供装置を説明する。本発明の一実施形態にかかる情報提供装置は、探索度算出手段が、移動体の走行履歴に基づいて、現在地取得手段で取得した現在地に対する探索度を算出し、鮮度算出手段が、周辺情報が更新された更新日時に基づいて当該周辺情報の鮮度を算出し、検索手段が、現在地取得手段で取得した現在地から範囲設定手段で設定された範囲内の周辺情報を探索度算出手段で算出された探索度と鮮度算出手段で算出された鮮度に基づいて検索して、情報提供手段が、検索手段で検索された周辺情報を利用者に提供するので、探索度と鮮度に応じて検索して提供する周辺情報を変化させることができ、ユーザの訪問状況にあわせて周辺情報を提供することができる。
【００１２】
また、走行履歴を蓄積する走行履歴蓄積手段と、周辺情報を蓄積する周辺情報蓄積手段と、利用者の嗜好を設定する嗜好設定手段と、を更に備え、探索度算出手段は、走行履歴蓄積手段に蓄積された走行履歴を参照することにより、探索度を算出し、検索手段は、嗜好設定手段に設定された嗜好を更に考慮して、周辺情報蓄積手段に蓄積された周辺情報内を検索してもよい。このようにすることにより、ユーザの嗜好と訪問状況に合わせて周辺情報を提供することができる。
【００１３】
また、情報提供手段は、周辺情報を表示する表示手段を備え、また、移動体は自転車であって、範囲設定手段は、利用者が所定時間内に自転車により移動が可能な範囲を所定の範囲として設定し、検索手段は、探索度及び鮮度に基づいて、優先度を決定し、表示手段は、優先度が最も高い周辺情報を表示してもよい。このようにすることにより、自転車走行中に優先度の高い周辺情報から表示して提供することができる。
【００１４】
また、検索手段は、探索度が低い場合は、現在地と周辺情報が示す地点との距離を算出して、現在地からの距離が近くなるにしたがって優先度が高くなるように決定してもよい。このようにすることにより、現在地に訪問したことが少ない場合は、現在地に近い地点の周辺情報から提供することができ、ユーザが現地の地理に不案内でも周辺情報が提供された地点を訪問し易くなる。
【００１５】
また、検索手段は、探索度が高い場合は、鮮度が新しくなるにしたがって優先度が高くなるように決定してもよい。このようにすることにより、現在地に何度も訪問したことがある場合は、鮮度が新しい周辺情報から提供することができ、ユーザに新しい発見を提供することができる。
【００１６】
また、探索度算出手段は、予め定めたエリア単位で探索度を算出してもよい。このようにすることにより、現在地が移動する度に探索度を算出する必要が無く、探索度の算出頻度を低減することができ、必要な処理能力や消費電力を低減することができる。
【００１７】
また、検索手段は、探索度が所定値以上の場合であって、周辺情報の更新日時が直前に現在地を訪問した日時よりも過去である場合は、当該周辺情報を検索対象から除外してもよい。このようにすることにより、更新日時が前に訪問した日時よりも古い場合は、検索結果から除外することで、ユーザが一度見た情報を何度も表示することを少なくすることができる。
【００１８】
また、地図情報が格納されている地図情報格納手段と、地図情報格納手段に格納されている地図情報に基づいて情報提供手段から提供された周辺情報が示す地点へ案内する案内手段と、をさらに備えてもよい。このようにすることにより、周辺情報が示す地点へ向かう際に経路を誘導して案内できるために、容易に当該地点へ行くことができる。
【００１９】
また、本発明の一実施形態にかかる情報提供方法は、探索度算出ステップで、移動体の走行履歴に基づいて、現在地取得ステップで取得した現在地に対する探索度を算出し、鮮度算出ステップで、周辺情報が更新された更新日時に基づいて当該周辺情報の鮮度を算出し、検索ステップで、現在地取得ステップで取得した現在地から範囲設定ステップで設定された範囲内の周辺情報を探索度算出ステップで算出された探索度と鮮度算出ステップで算出された鮮度に基づいて検索して、情報提供ステップで、検索ステップで検索された周辺情報を利用者に提供するので、探索度と鮮度に応じて検索して表示する周辺情報を変化させることができ、ユーザの訪問状況にあわせて周辺情報を提供することができる。
【００２０】
また、本発明の一実施形態にかかる情報提供プログラムは、探索度算出手段が、移動体の走行履歴に基づいて、現在地取得手段で取得した現在地に対する探索度を算出し、鮮度算出手段が、周辺情報が更新された更新日時に基づいて当該周辺情報の鮮度を算出し、検索手段が、現在地取得手段で取得した現在地から範囲設定手段で設定された範囲内の周辺情報を探索度算出手段で算出された探索度と鮮度算出手段で算出された鮮度に基づいて検索して、情報提供手段が、検索手段で検索された周辺情報を利用者に提供するので、探索度と鮮度に応じて検索して提供する周辺情報を変化させることができ、ユーザの訪問状況にあわせて周辺情報を提供することができる。
【００２１】
また、上述した情報提供プログラムをコンピュータ読み取り可能な記録媒体に格納してもよい。このようにすることにより、当該プログラムを機器に組み込む以外に単体でも流通させることができ、バージョンアップ等も容易に行える。
【実施例１】
【００２２】
本発明の第１の実施例にかかる情報提供装置１を図１乃至図７を参照して説明する。情報提供装置１は図１に示すように、端末部１０と、サーバ部２０と、から構成されている。端末部１０は移動体のユーザが視認及び操作し易い場所に取り付けられ、ユーザの嗜好や表示範囲などの設定及び情報、走行中の現在地周辺の施設情報の表示を行う。サーバ部２０は、事業所などに設置されたコンピュータなどで構成され、端末部１０から選択されたユーザの嗜好や表示範囲および当該地点の走行履歴や施設情報の更新日時などに基づいて端末部１０で表示する施設の情報を検索し端末部１０へ送信する。なお、本実施例における移動体としては自動車や自転車等の乗物を想定して説明するが、それらに限らず、人間（つまり、徒歩による移動）であってもよい。
【００２３】
また、図１に記載の情報提供装置１の構成は、一例でありこれに限られるものではない。図１は、情報提供装置１が備える各構成部を端末部１０とサーバ部２０とに分けて備えてもよいことを示しており、例えば、サーバ部２０を構成する一部を、端末部１０が備えることとしてもよいし、逆に端末部１０を構成する一部をサーバ部２０が備えることとしてもよい。
【００２４】
また、本実施例においては、周辺情報を施設に関する情報として説明するが、これに限られるものではない。周辺情報には、例えば、情報提供装置１の利用者又はその他の者により、地点の情報と関連付けられた様々な情報（写真のような画像情報、テキストによるコメント情報等）が含まれる。
【００２５】
端末部１０は、ＧＰＳ受信部１１と、現在地・日時算出部１２と、操作部１３と、制御部１４と、通信部１５と、表示部１６と、スピーカ１７と、を備えている。
【００２６】
ＧＰＳ受信部１１は、複数のＧＰＳ（Global Positioning System）衛星から、緯度及び経度情報や時間情報等の測位用データを含む電波を定期的に受信して現在地・日時算出部１２に出力する。なお、現在地を検出する手段としてはＧＰＳに限らず、自立センサ（角速度センサ）などを用いてもよいし、日時を算出するために時計機能を内蔵してもよい。
【００２７】
現在地取得手段としての現在地・日時算出部１２は、ＧＰＳ受信部１１が受信した測位用データから、現在地の座標（緯度、経度）および日時を算出し、現在地の座標および日時を制御部１４へ出力する。
【００２８】
範囲設定手段、嗜好設定手段としての操作部１３は、複数のボタン等の入力手段で構成されている。そして、操作部１３は、表示部１６の表示に基づいて情報を表示したい施設のジャンル等の嗜好や、情報を表示する施設の範囲等の設定および、情報が表示された施設への案内の指示などを行う。また、操作部１３はタッチパネルで構成してもよい。
【００２９】
制御部１４は、端末部１０の全体制御を司り、操作部１３から入力された操作情報などを通信部１５へ送信するとともに、通信部１５が受信した表示する施設に関する情報などを表示部１６へ出力する。
【００３０】
通信部１５は、サーバ部２０の通信部２１と無線通信を行う。通信部１５は、操作部１３から入力された操作情報などをサーバ部２０へ送信するとともに、サーバ部２０から送信される表示する施設に関する情報などを受信して制御部１４へ出力する。
【００３１】
情報提供手段、表示手段としての表示部１６は、例えば液晶ディスプレイなどで構成され、情報を表示したい施設のジャンル等の嗜好や、情報を表示する施設の範囲等の設定画面や、サーバ部２０で検索された施設に関する情報などが表示される。即ち、周辺情報を利用者に提供する。
【００３２】
スピーカ１７は、情報を表示したい施設のジャンル等の嗜好や、情報を表示する施設の範囲等を設定する際のガイダンス音声や操作時の確認音および情報が表示されたことを示す音等を出力する。
【００３３】
サーバ部２０は、通信部２１と、提示情報検索部２２と、施設情報蓄積部２３と、走行履歴・探索度蓄積部２４と、を備えている。
【００３４】
通信部２１は、端末部１０の通信部１５と無線通信を行う。端末部１０から送信される操作情報などを提示情報検索部２２に出力するとともに、提示情報検索部２２で検索された表示する施設に関する情報などを端末部１０へ出力する。
【００３５】
探索度算出手段、鮮度算出手段、検索手段、案内手段としての提示情報検索部２２は、通信部２１を介して送信されてきた操作情報に基づいて、走行履歴・探索度蓄積部２４に蓄積されている探索度と施設情報蓄積部２３に蓄積されている施設に関する情報の鮮度に基づいて端末部１０に表示する施設に関する情報を検索して、通信部２１を介して端末部１０へ出力する。また、提示情報検索部２２は、探索度および鮮度の算出も行う。また、検索された施設への案内を要求された場合は、施設情報蓄積部２３から地図情報を読み出して当該施設への案内情報（経路情報）を生成する。
【００３６】
周辺情報蓄積手段、地図情報格納手段としての施設情報蓄積部２３は、例えばハードディスクドライブなどで構成され、施設に関する情報としてジャンル、施設名、位置（所在地）、営業時間、電話番号等の情報が蓄積されている。この施設に関する情報は、インターネット等から自動的に取得してもよいし、ユーザが端末部１０や別のパソコン等から登録できるようにしてもよい。また、施設情報蓄積部２３は、現在地から各施設へ向かう経路を案内する際に用いる地図情報も格納されている。
【００３７】
走行履歴蓄積手段としての走行履歴・探索度蓄積部２４は、例えばハードディスクドライブなどで構成され、当該移動体の走行履歴や探索度が蓄積されている。探索度とは、あるエリアに対する探索の度合いを示す値であり、当該エリアの訪問回数や滞在時間が多いほど大きな値をとる。なお、この探索度を示すエリアとしては、地図上を所定距離間隔でメッシュ状に区切ったものや、行政単位などとすればよい。また、施設情報蓄積部２３と走行履歴・探索度蓄積部２４はハードディスクドライブなどの記憶装置を共用してもよい。
【００３８】
次に、上述した構成の情報提供装置１の動作を図２乃至図４を参照して説明する。図２は、端末部１０の動作を示したフローチャートである。図２に示したフローチャートは制御部１４で実行される。
【００３９】
まず、ステップＳ１０１において、操作部１３から情報を表示したい施設に関する嗜好としての表示する施設のジャンルを設定しステップＳ１０２に進む。ジャンルは例えば公共施設、飲食店、デパート等の分類や、公共施設でも駅、交番、公園など、飲食店でも和食、洋食、ファーストフードなどさらに詳細に分類してもよい。勿論複数のジャンルを設定してもよい。
【００４０】
次に、範囲設定ステップとしてのステップＳ１０２において、現在地を中心として施設を表示する範囲（現在地からの所定の範囲）を設定しステップＳ１０３に進む。この範囲は、ステップＳ１０１で設定したジャンルの施設を現在地を中心としてどこまでの範囲を検索・表示の対象とするかを定めるものであり、メートルやキロメートル単位で設定する。また、予め初期値を設定し、ユーザが変更しなかった場合はその初期値を採用してもよい。
【００４１】
次に、ステップＳ１０３において、端末部１０が搭載された移動体が走行を開始してステップＳ１０４に進む。
【００４２】
次に、現在地取得ステップとしてのステップＳ１０４において、現在地をサーバ部２０に送信してステップＳ１０５に進む。本ステップでは現在地・日時算出部１２で算出された現在地が通信部１５を介してサーバ部２０に送信される。
【００４３】
次に、ステップＳ１０５において、サーバ部２０から施設に関する情報を受信したか否かを判断し、受信した場合（Ｙの場合）はステップＳ１０６に進み、受信していない場合（Ｎの場合）はステップＳ１０４に戻る。
【００４４】
次に、情報提供ステップとしてのステップＳ１０６において、施設に関する情報を表示部１６に表示してステップＳ１０７に進む。本実施例では基本的に施設に関する情報は１つのみが表示される。
【００４５】
次に、ステップＳ１０７において、ステップＳ１０６で情報を表示した施設へ案内が必要か否かを判断し、必要である場合はステップＳ１０８に進み、必要で無い場合はステップＳ１０４に戻る。
【００４６】
次に、ステップＳ１０８において、施設までの経路を表示して案内し、ステップＳ１０９に進む。本ステップでは、サーバ部２０で生成された施設までの経路情報を表示部１６に表示して案内を行う。
【００４７】
次に、ステップＳ１０９において、施設までの案内が終了したか否かを判断し、終了した場合（Ｙの場合）はステップＳ１１０に進み、終了していない場合（Ｎの場合）は本ステップで待機する。
【００４８】
次に、ステップＳ１１０において、走行終了か否かを判断し、終了の場合（Ｙの場合）は本フローチャートを終了し、終了でない場合（Ｎの場合）はステップＳ１０４に戻る。
【００４９】
図３は、サーバ部２０の動作を示したフローチャートである。図３に示したフローチャートは提示情報検索部２２で実行される。
【００５０】
まず、ステップＳ２０１において、端末部１０からジャンルが設定済みであるか否かを判断し、設定済みである場合（Ｙの場合）はステップＳ２０２に進み、設定済みで無い場合（Ｎの場合）は本ステップで待機する。
【００５１】
次に、ステップＳ２０２において、端末部１０から表示範囲が設定済みであるか否かを判断し、設定済みである場合（Ｙの場合）はステップＳ２０３に進み、設定済みで無い場合（Ｎの場合）は本ステップで待機する。
【００５２】
次に、ステップＳ２０３において、端末部１０から現在地を受信したか否かを判断し、受信した場合（Ｙの場合）はステップＳ２０４に進み、受信していない場合（Ｎの場合）は本ステップで待機する。
【００５３】
次に、ステップＳ２０４において、走行履歴を更新してステップＳ２０５に進む。走行履歴は、ステップＳ２０３で受信した現在地の情報に基づいて更新し、走行履歴・探索度蓄積部２４に蓄積する。
【００５４】
次に、検索ステップとしてのステップＳ２０５において、施設情報を検索してステップＳ２０６に進む。本ステップでは、走行履歴・探索度蓄積部２４に蓄積されている探索度と、施設情報蓄積部２３に蓄積されている施設に関する情報の鮮度に基づいて、設定された表示範囲内かつ設定されたジャンルの施設を検索する。
【００５５】
鮮度の算出方法は、単純に現在日時と施設に関する情報の更新日付との差そのものとしてもよいし、現在日時と施設に関する情報の更新日付との差を複数段階で表されるようにして算出してもよい。この複数段階とは、例えば５段階とすると、前記差が０〜１週間以内は鮮度５、１週間〜１ヶ月以内は鮮度４、１ヶ月〜３ヶ月以内は鮮度３、３ヶ月〜６ヶ月以内は鮮度２、６ヶ月以上は鮮度１などと定めて評価することである。
【００５６】
探索度の算出方法は、例えば、当該エリアの訪問回数のみを基に複数段階で評価・算出してもよいし、滞在時間のみを基に複数段階で評価・算出してもよい。また、訪問回数と滞在時間を項とする所定の式から算出した値を基に複数段階で評価・算出するようにしてもよい。この式は、例えば、単純に訪問回数×滞在時間としたり、訪問回数と滞在時間に所定の係数をかけた上で乗算するなど、移動体（ユーザ）が当該エリアにどの程度訪問しているかを示す尺度となるような値が算出されればよい。
【００５７】
また、探索度は現在地の属するエリアへの訪問度を示す値であるので、この探索度が高いほど鮮度が新しい情報（更新日時が新しい情報）を提示する必要があるが、探索度が低い場合は、必ずしも鮮度のみで判断する必要は無い。そこで、本実施例では、探索度が低い場合は、現在地との距離が近い施設を鮮度よりも優先して検索する。例えば図４に示したように、重み付けをして評価すればよい。具体的には、鮮度と距離それぞれに点数を付けた上でその点数に探索度に応じた重みを掛けて鮮度と距離を加算して評価する。このようにすることで、初めて訪問した場所で探索度が最低の場合（鮮度の重みが０、距離の重みが１）は距離が近い施設が検索され、何度も訪れており探索度が最高の場合（鮮度の重みが１、距離の重みが０）は鮮度が新しい施設が検索され（鮮度が優先的に検索され）、その中間は重み付けを加味した点数によって評価し、評価が最も高い施設が検索されるようになる。なお、距離も鮮度と同様に表示範囲を複数段階に区切って評価すればよい。
【００５８】
つまり、本実施例においては、この重み付けをした点数が優先度となり、特に自転車や歩行者用の情報提供装置１の場合、自転車のハンドル等に取り付けたり、歩行者が身に付けたりすることから表示画面が小さくなる場合が多く、一度に複数の情報を表示することが困難であるために、優先度を設けて表示すると効果的である。
【００５９】
次に、ステップＳ２０６において、ステップＳ２０５で検索された施設に関する情報を端末部１０へ送信してステップＳ２０７に進む。
【００６０】
次に、ステップＳ２０７において、ステップＳ２０６で端末部１０に送信した施設までの案内が必要であると端末部１０から要求されたか否かを判断し、要求された場合はステップＳ２０８に進み、要求されない場合はステップＳ２０３に戻る。本ステップでは、図２のステップＳ１０７に対応し、施設までの案内が必要であると要求された場合は、次のステップで施設までの案内情報（経路情報）を生成し端末部１０へ送信する。
【００６１】
次に、ステップＳ２０８において、ステップＳ２０６で端末部１０に情報を送信した施設までの案内情報を生成して端末部１０へ送信しステップＳ２０９に進む。
【００６２】
次に、ステップＳ２０９において、走行終了か否かを判断し、終了の場合（Ｙの場合）は本フローチャートを終了し、終了でない場合（Ｎの場合）はステップＳ２０３に戻る。
【００６３】
なお、探索度は、図３のフローチャートとは独立して走行履歴・探索度蓄積部２４に蓄積されている走行履歴に基づいて提示情報検索部２２で各エリアごとに算出して走行履歴・探索度蓄積部２４へ更新する（探索度算出ステップ）。探索度を更新するタイミングは、走行が終了した際に行ってもよいし、一定時間間隔など定期的に行ってもよいし、ユーザの指示で行ってもよい。また、鮮度も、図３のフローチャートとは独立して施設情報蓄積部２３に蓄積されている施設に関する情報の更新日時に基づいて提示情報検索部２２で算出して施設情報蓄積部２３へ更新する（鮮度算出ステップ）。鮮度を更新するタイミングは、例えば毎日１回や１週間に１回など所定間隔で行ってもよいし、情報が更新された施設がある場合などで行ってもよい。
【００６４】
次に、情報提供装置１の実際の動作例を図５ないし図７を参照して説明する。図５は、設定したジャンルの施設に関する情報を表示する範囲と、表示候補の施設の位置関係と情報の更新日を示した図である。図５においては、円が設定したジャンルの施設に関する情報を表示する範囲（情報表示範囲）であり、現在地は円の中心に位置している。また、情報表示範囲内には設定したジャンルの施設として店舗Ａ〜店舗Ｃがあり、現在地からは、店舗Ｂが最も近く、次いで店舗Ｃ、店舗Ａが最も離れている。また、各店舗の情報更新日は、店舗Ａが２０１２年１２月１２日、店舗Ｂが２０１１年１１月１１日、店舗Ｃが２０１０年１０月１０日となっており、店舗Ａが最も新しく情報更新されている。
【００６５】
ここで、情報提供装置１を搭載した移動体が初めて現在地を訪れて探索度が最も低い場合は、上述したように距離が近い施設を検索するため、店舗Ｂが検索され、端末部１０には店舗Ｂに関する情報が送信されて、図６に示す表示例のように表示部１６に表示される。そして、図６において、「ここに行く」を選択すると店舗Ｂまでの経路が案内され、「場所を確認」を選択すると現在地と店舗Ｂを含む地図が表示される。
【００６６】
また、情報提供装置１を搭載した移動体が何度も現在地を訪れて探索度が最も高い場合は、上述したように鮮度が新しい施設を検索するため、店舗Ａが検索され、端末部１０には店舗Ａに関する情報が送信されて、図７に示す表示例のように表示部１６に表示される。この際に、以前の訪問後に情報が更新された場合は、「Ｎｅｗ」などと表示して情報が更新されたことを示してもよい。また、探索度が中程度の場合は、上述したように鮮度と距離とを重みづけして評価するため、その評価値（優先度）によって店舗Ａ〜Ｃのうちのいずれかが表示される。
【００６７】
本実施形態によれば、サーバ部２０の提示情報検索部２２で、走行履歴・探索度蓄積部２４に蓄積された走行履歴から現在地に対する探索度と、施設情報蓄積部２３に蓄積された施設に関する情報の更新日時に基づいて当該施設に関する情報の鮮度を算出し、そして、現在地から予め設定された表示範囲内の設定されたジャンルに合致する施設に関する情報を、探索度が高い場合は鮮度に基づいて検索し、探索度が低い場合は距離に基づいて検索して、端末部１０の表示部１６に検索された施設に関する情報を表示するので、探索度に応じて鮮度と距離を考慮して検索し、表示する施設に関する情報を変化させることができ、ユーザの訪問状況に応じて嗜好に合った施設に関する情報を提供することができる。また、探索度が低い場合は、鮮度よりも現在地に近いことを優先的に検索するので、現在地に訪問したことが少ない場合は、現在地に近い施設に関する情報から表示することができ、ユーザが現地の地理に不案内でも表示された施設を訪問し易くなる。また、探索度が高い場合は、鮮度が新しい施設を優先的に検索するので、現在地に何度も訪問したことある場合は、鮮度が新しい施設に関する情報から表示することができ、ユーザに新しい発見を提供することができる。
【００６８】
また、探索度を、所定エリア単位で算出しているので、現在地が移動する度に探索度を算出する必要が無く、探索度の算出頻度を低減することができ、必要な処理能力や消費電力を低減することができる。
【００６９】
また、端末部１０に表示された施設まで案内することができるので、当該施設までの道を知らなくとも迷わず辿り着けることができる。
【実施例２】
【００７０】
次に、本発明の第２の実施例にかかる情報提供装置１´を図８を参照して説明する。なお、前述した第１の実施例と同一部分には、同一符号を付して説明を省略する。
【００７１】
本実施例では、端末部１０とサーバ部２０に分かれていたものを一つに纏めた点が第１の実施例と異なる。即ち、図１から通信部１５、２１を削除し、現在地・日時算出部１２および操作部１３の入力が直接提示情報検索部２２に入力され、提示情報検索部２２の出力が直接表示部１６とスピーカ１７に出力される。そして、制御部１４で実行されていた図２のフローチャートは提示情報検索部２２が行う。
【００７２】
本実施例によれば、全ての機能を内蔵しているので、外部との通信部は自身の現在地を算出するためのＧＰＳ受信部１１のみとなる。そのために、外部との通信状況に左右されずに施設に関する情報の表示が可能となる。
【００７３】
なお、上述した２つの実施例において、現在地の訪問度合いが大きく探索度が大きい場合には、鮮度を優先して情報を表示する施設を検索するが、このとき、直前に訪問した日時より後に更新された情報が無い場合は、表示する情報が無いと判断し、端末部１０には何も送信しないようにしてもよい。このようにすることにより、更新日時が前に訪問した日時よりも古い場合は、検索結果から除外することで、ユーザが一度見た情報を何度も表示することを少なくすることができる。
【００７４】
また、上述した情報提供装置１または１´の現在地・日時算出部１２と、操作部１３と、制御部１４と、通信部１５と、通信部２１と、提示情報検索部２２と、施設情報蓄積部２３と、走行履歴・探索度蓄積部２４と、をコンピュータで動作するプログラムとして構成することで、本発明を情報表示プログラムとして構成することができる。なお、上述した第１の実施例に示したように端末部１０とサーバ部２０とに分かれて構成する場合は、勿論２つのコンピュータにそれぞれの機能（端末部１０、サーバ部２０）を実現するようなプログラムとすればよい。
【００７５】
前述した実施例によれば、以下の情報提供装置１、情報提供方法および情報提供プログラムが得られる。
【００７６】
（付記１）移動体の現在地から所定の範囲内の周辺情報を、利用者に提供する情報提供装置１であって、
移動体の現在地に関する位置情報を取得する現在地・日時算出部１２と、
所定の範囲を設定する操作部１３と、
情報を表示したい施設に関するジャンルを設定する操作部１３と、
移動体の走行履歴に基づいて、現在地・日時算出部１２で取得した現在地に対する探索度を算出する提示情報検索部２２と、
周辺情報が更新された更新日時に基づいて、当該周辺情報の鮮度を算出する提示情報検索部２２と、
現在地・日時算出部１２で取得した現在地から操作部１３で設定された所定の範囲内の周辺情報を、提示情報検索部２２で算出された探索度と提示情報検索部２２で算出された鮮度に基づいて検索する提示情報検索部２２と、
提示情報検索部２２で検索された周辺情報を利用者に提供する表示部１６と、
を備えていることを特徴とする情報提供装置１。
【００７７】
（付記２）移動体の現在地から所定の範囲内の周辺情報を、利用者に提供する情報提供方法であって、
移動体の現在地に関する位置情報を取得するステップＳ１０４と、
所定の範囲を設定するステップＳ１０２と、
移動体の走行履歴に基づいて、ステップＳ１０４で取得した現在地に対する探索度を算出する探索度算出ステップと、
周辺情報が更新された更新日時に基づいて、当該施設に関する情報の鮮度を算出する鮮度算出ステップと、
ステップＳ１０４で取得した現在地からステップＳ１０２で設定された所定の範囲内の周辺情報を、探索度算出ステップで算出された探索度と鮮度算出ステップで判定された鮮度に基づいて検索するステップＳ２０５と、
ステップＳ２０５で検索された周辺情報を利用者に提供するステップＳ１０６と、
を備えていることを特徴とする情報提供方法。
【００７８】
（付記３）移動体の現在地所定の範囲内の周辺情報を、利用者に提供する情報提供プログラムであって、
移動体の現在地に関する位置情報を取得する現在地・日時算出部１２と、
所定の範囲を設定する操作部１３と、
情報を表示したい施設に関するジャンルを設定する操作部１３と、
移動体の走行履歴に基づいて、現在地・日時算出部１２で取得した現在地に対する探索度を算出する提示情報検索部２２と、
周辺情報が更新された更新日時に基づいて、当該周辺情報の鮮度を算出する提示情報検索部２２と、
現在地・日時算出部１２で取得した現在地から操作部１３で設定された所定の範囲内の周辺情報を、提示情報検索部２２で算出された探索度と提示情報検索部２２で算出された鮮度に基づいて検索する提示情報検索部２２と、
提示情報検索部２２で検索された周辺情報を利用者に提供する表示部１６と、
としてコンピュータを機能させることを特徴とする情報提供プログラム。
【００７９】
これらの情報提供装置１、情報提供方法および情報提供プログラムによれば、探索度と鮮度に応じて検索して表示する施設に関する情報を変化させることができ、ユーザの訪問状況にあわせて嗜好に合った施設に関する情報を提供することができる。
【００８０】
なお、前述した実施例は本発明の代表的な形態を示したに過ぎず、本発明は、実施例に限定されるものではない。すなわち、本発明の骨子を逸脱しない範囲で種々変形して実施することができる。
【符号の説明】
【００８１】
１、１´  情報提供装置
１１      ＧＰＳ受信部
１２      現在地・日時算出部（現在地取得手段）
１３      操作部（範囲設定手段、嗜好設定手段）
１６      表示部（情報提供手段、表示手段）
２２      提示情報検索部（探索度算出手段、鮮度算出手段、検索手段、案内手段）
２３      施設情報蓄積部（周辺情報蓄積手段、地図情報格納手段）
２４      走行履歴・探索度蓄積部（走行履歴蓄積手段）
Ｓ１０１  ジャンル設定（嗜好設定ステップ）
Ｓ１０２  表示範囲設定（範囲設定ステップ）
Ｓ１０４  現在地送信（現在地取得ステップ）
Ｓ１０６  施設情報表示（情報提供ステップ）
Ｓ２０５  施設情報検索（検索ステップ）
【図１】
2012177575.tif 000003
【図２】
2012177575.tif 000004
【図３】
2012177575.tif 000005
【図４】
2012177575.tif 000006
【図５】
2012177575.tif 000007
【図６】
2012177575.tif 000008
【図７】
2012177575.tif 000009
【図８】
2012177575.tif 000010